(57)【特許請求の範囲】
【請求項１】
テレビジョンにウィジェットとオブジェクトの何らかの組み合わせとを含むグラフィカルユーザインターフェースを出力する段階と、
リモコン装置から１つ又はそれ以上のキー事象を受信する段階と、
前記１つ又はそれ以上のキー事象が１つ又はそれ以上の方向キーの起動を示す場合、各方向キー起動に応答して固定距離だけ前記ウィジェットを動かすことによって、前記グラフィカルユーザインターフェースをカーソルモードで更新する、又は、各方向キー起動に応答して予め決定された順序で現在アクティブのオブジェクトの表示を動かすことによって、前記グラフィカルユーザインターフェースをオブジェクト−オブジェクトモードで更新する段階と、
前記グラフィカルユーザインターフェースのオブジェクトの配置がほぼ均等であることに応じて、前記カーソルモードから前記オブジェクト−オブジェクトモードへモードを切り替える段階と、
前記１つ又はそれ以上のキー事象がエンターキーの起動を示す場合、前記ウィジェットが前記グラフィカルユーザインターフェースのオブジェクトに近接しているかどうかを判定する段階と、
前記ウィジェットが前記所与のオブジェクトに近接している場合、前記エンターキーの起動に応答して所与のオブジェクトによって指定された機能を開始する段階と、
を含む方法。
【請求項２】
前記ウィジェットが何れのオブジェクトにも近接していない場合、前記エンターキー事象を無視する段階を更に含む、
請求項１に記載の方法。
【請求項３】
前記グラフィカルユーザインターフェースを更新する段階が更に、押下されている前記所与の方向キーに応答して所与の方向キーに対応する所与の方向に連続した動きで前記ウィジェットを動かすことによって、前記グラフィカルユーザインターフェースを更新する段階を含み、
前記ウィジェットが移動する前記距離は、前記方向キーが押下されている時間に比例する、
請求項１に記載の方法。
【請求項４】
前記ウィジェットがカーソルを含む、
請求項１に記載の方法。
【請求項５】
前記オブジェクトが、メニューアイテム、サブメニューアイテム、アイコン、アプリケーションウィンドウ、サムネイル、及び制御バーの１つ又はそれ以上を含む、
請求項１に記載の方法。
【請求項６】
前記機能が、テレビジョン、セットトップボックス、衛星受信機、デジタルビデオディスクプレーヤー、デジタルビデオレコーダ、ビデオカセットレコーダ、ゲーム機、及びハードディスクドライブからなるグループから選択されたコンテンツソースのオペレーションを選択又は制御することを含む、
請求項１に記載の方法。
【請求項７】
前記ウィジェットが予め決定された区域に移動した時に、前記予め決定された区域に１つ又はそれ以上の付加的なオブジェクトを表示するように前記グラフィカルユーザインターフェースを更新する段階を更に含む、
請求項１に記載の方法。
【請求項８】
テレビジョンと、
複数の方向キー及びエンターキーを含む１つ又はそれ以上のキーのユーザによる起動に応答してキー事象を生成するリモコン装置と、
前記テレビジョン上にウィジェットを含むグラフィカルユーザインターフェースを生成するためのビデオ処理及び制御ユニットと、
を備え、
前記ウィジェットが、方向キー事象に応答して前記グラフィカルユーザインターフェースにおいて移動し、
前記キー事象が１つ又はそれ以上の方向キーの起動を示す場合、各方向キー起動に応答して固定距離だけ前記ウィジェットを動かすことによって、前記グラフィカルユーザインターフェースは、カーソルモードで更新され、又は、各方向キー起動に応答して予め決定された順序で現在アクティブのオブジェクトの表示を動かすことによって、前記グラフィカルユーザインターフェースは、オブジェクト−オブジェクトモードで更新され、
前記グラフィカルユーザインターフェースのオブジェクトの配置がほぼ均等であることに応じて、前記カーソルモードから前記オブジェクト−オブジェクトモードへモードが切り替えられる、
システム。
【請求項９】
前記ビデオ処理ユニットが、エンターキー事象に応答して前記ウィジェットが前記グラフィカルユーザインターフェースのオブジェクトに近接しているかどうかを判定し、前記ウィジェットが前記所与のオブジェクトに近接している場合、前記エンターキー事象に応答して所与のオブジェクトによって指定された機能を開始する、
請求項８に記載のシステム。
【請求項１０】
前記テレビジョンが、前記ビデオ処理及び制御ユニットを含む、
請求項８に記載のシステム。
【請求項１１】
前記ビデオ処理及び制御ユニットを含むコンテンツソースを更に備える、
請求項８に記載のシステム。
【請求項１２】
前記コンテンツソースが、セットトップボックス、衛星受信機、デジタルビデオディスクプレーヤー、デジタルビデオレコーダ、ビデオカセットレコーダ、ゲーム機、又はハードディスクドライブを含む、
請求項１１に記載のシステム。
【請求項１３】
前記グラフィカルユーザインターフェースが、メニュー、メニューアイテム、サブメニュー、サブメニューアイテム、アイコン、アプリケーションウィンドウ、サムネイル、及び制御バーの１つ又はそれ以上を含む複数のオブジェクトを有する、
請求項８に記載のシステム。
【請求項１４】
前記ウィジェットがカーソルを含む、
請求項８に記載のシステム。
【請求項１５】
前記機能が、前記テレビジョン又はコンテンツソースのオペレーションを選択又は制御することを含む、
請求項８に記載のシステム。
【請求項１６】
コンピューティングデバイス実行可能命令を含む１つ又はそれ以上のコンピューティングデバイスが読取可能な記録媒体であって、前記コンピューティングデバイス実行可能命令は、１つ又はそれ以上のプロセッサによって実行された時に、
テレビジョンにウィジェット及び複数のオブジェクトを含むグラフィカルユーザインターフェースを出力する段階と、
リモコン装置から１つ又はそれ以上のキー事象を受信する段階と、
前記１つ又はそれ以上のキー事象が、１つ又はそれ以上の方向キーの起動を示す場合、各方向キー起動に応答して固定距離だけ前記ウィジェットを動かすことによって、前記グラフィカルユーザインターフェースをカーソルモードで更新する、又は、各方向キー起動に応答して予め決定された順序で現在アクティブのオブジェクトの表示を動かすことによって、前記グラフィカルユーザインターフェースをオブジェクト−オブジェクトモードで更新する段階と、
前記グラフィカルユーザインターフェースのオブジェクトの配置がほぼ均等であることに応じて、前記カーソルモードから前記オブジェクト−オブジェクトモードへモードを切り替える段階と、
前記１つ又はそれ以上のキー事象がエンターキーの起動を示す場合、前記ウィジェットが前記グラフィカルユーザインターフェースのオブジェクトに近接しているかどうかを判定する段階と、
前記ウィジェットが、前記所与のオブジェクトに近接している場合、前記エンターキーの起動に応答して所与のオブジェクトによって指定された機能を開始する段階と、
を含む方法を１つ又はそれ以上のデバイスに実行させるようにする、
ことを特徴とする１つ又はそれ以上のコンピューティングデバイスが読取可能な記録媒体。
【請求項１７】
前記カーソルモードと前記オブジェクト−オブジェクトモードとの切り替えは、予め決められたキー事象によっても行われることを特徴とする請求項１６に記載の前記方法を実装する１つ又はそれ以上のコンピューティングデバイスが読取可能な記録媒体。
【請求項１８】
前記グラフィカルユーザインターフェースが予め決定された順序のフォーマットでオブジェクトを示している場合にも、前記カーソルモードは、前記オブジェクト−オブジェクトモードに切り替えられることを特徴とする
請求項１６に記載の前記方法を実装する１つ又はそれ以上のコンピューティングデバイスが読取可能な記録媒体。
【請求項１９】
請求項１６に記載の前記方法を実装する１つ又はそれ以上のコンピューティングデバイス可読媒体であって、
前記グラフィカルユーザインターフェースの複数のオブジェクトが、メニュー、メニューアイテム、サブメニュー、サブメニューアイテム、アイコン、アプリケーションウィンドウ、サムネイル、及び制御バーの１つ又はそれ以上を含む、
１つ又はそれ以上のコンピューティングデバイスが読取可能な記録媒体。
【請求項２０】
前記ウィジェットがカーソルを含むことを特徴とする、請求項１６に記載の前記方法を実装する１つ又はそれ以上のコンピューティングデバイスが読取可能な記録媒体。
【発明の詳細な説明】
【背景技術】
【０００１】
従来のテレビジョンは、増え続ける多くのコンテンツソースに接続されている。更に、種々のコンテンツソース及びテレビジョンを選択及び制御するため、テレビジョンに表示されるグラフィカルユーザインターフェースは、益々増えつつある情報量を提示している。更に、従来のリモコン装置を用いた更に多様なグラフィカルユーザインターフェースを通じてテレビジョン及び種々のコンテンツソースを制御し、ユーザ体験を向上させることができるという継続的な要求が存在する。従って、リモコン装置を使用してテレビジョン及び種々のコンテンツソースを制御する改善された技術に対する継続的な必要性がある。
【発明の概要】
【発明が解決しようとする課題】
【０００２】
本発明の実施形態は、テレビジョンにカーソル又は他の類似のウィジェットを実装するための技術に関する。１つの実施形態では、テレビジョン上にカーソルを実装するためのシステムは、リモコン装置及びビデオ処理ユニットを含む。リモコン装置は、ユーザによる１つ又はそれ以上のキーの起動に応答してキー事象を生成する。ビデオ処理及び制御ユニットは、テレビジョン上にウィジェットを含むグラフィカルユーザインターフェースを出力する。ビデオ処理及び制御ユニットは、リモートの方向キーの起動を示すキー事象に応答して、グラフィカルユーザインターフェースにおいてウィジェットを移動させる。
【０００３】
別の実施形態では、方法は、テレビジョン上にウィジェット及び複数のオブジェクトを含むグラフィカルユーザインターフェースを出力する段階を含む。グラフィカルユーザインターフェースは、リモートでの各方向キーの起動に応答して、ウィジェットを固定距離だけ動かすことによって更新される。更に、エンターキーが起動された時にウィジェットが所与のオブジェクトに近接していると判定された場合、所与のオブジェクトによって指定された機能をエンターキーの起動に応答して開始することができる。
【０００４】
本発明の実施形態は、同じ参照符号が同様の要素を示す添付図面において限定ではなく例示として示される。
【０００５】
ここで、実施例が添付図面において例証されている本発明の実施形態を詳細に参照する。これらの実施形態に関連して本発明を説明するが、これらは、本発明をこれらの実施形態に限定するものではない点は理解されるであろう。むしろ、本発明は、添付の請求項によって定義される本発明の範囲内に含むことができる代替形態、修正形態、及び均等形態を保護するものとする。更に、本発明の以下の詳細な説明において、本発明を十分に理解するために多数の特定の詳細事項が記載されている。しかしながら、本発明はこれらの特定の詳細事項が無くとも実施することができる点を理解されたい。場合によっては、公知の方法、手順、構成要素、及び回路は、本発明の態様を不必要に曖昧にしないように詳細には説明していない。
【図面の簡単な説明】
【０００６】
【図１】本発明の１つの実施形態による、リモコン装置を使用してテレビジョンにウィジェット機能を実装するシステムを示すブロック図である。
【図２】本発明の１つの実施形態による、リモコン装置を使用してテレビジョンにウィジェット機能を実装する方法を示すフロー図である。
【図３】本発明の１つの実施形態による例示的なグラフィカルユーザインターフェースを示す図である。
【図４Ａ】本発明の１つの実施形態による、グラフィカルユーザインターフェースを実装する別の方法のブロック図である。
【図４Ｂ】本発明の１つの実施形態による、グラフィカルユーザインターフェースを実装する別の方法のブロック図である。
【発明を実施するための形態】
【０００７】
図１は、本発明の１つの実施形態による、リモコン装置を使用してテレビジョン用のウィジェット機能を実装するシステムを示す。システム１００は、テレビジョン１１０、１つ又はそれ以上のコンテンツソース１２０、１３０、及び１つ又はそれ以上のリモコン装置１４０を含む。テレビジョンは、ディスプレイ１５０と、任意選択的にビデオ処理及び制御ユニット１６０とを含む。１つ又はそれ以上のコンテンツソース１２０、１３０はまた、ビデオ処理ユニット及び制御ユニット１７０を含むことができる。従って、ビデオ処理及び制御ユニット１６０、１７０は、テレビジョン及び／又はコンテンツソースの何らかの組み合わせにより実装され、或いはこれらにわたって分散させてもよい。各ビデオ処理及び制御ユニット１６０、１７０は、ハードウェア、ファームウェアにより、及び／又はソフトウェア及びマイクロプロセッサ（例えば、処理ユニットによって実行された時に本明細書で説明されるものを含む１つ又はそれ以上の機能を実施するコンピューティングデバイス実行可能コマンド及びデータ）によって実装することができる。
【０００８】
１つ又はそれ以上のコンテンツソース１２０、１３０は、ケーブルセットトップボックス（ＳＴＢ）、衛星受信機、デジタルビデオディスク（ＤＶＤ）プレーヤー、デジタルビデオレコーダ（ＤＶＲ）、ビデオカセットレコーダ（ＶＣＲ）、ゲーム機、ハードディスクドライブ（ＨＤＤ）、又は同様のものを含むことができる。システム１００の入力インターフェースは、リモコン装置１４０、及びキーボード、コンテンツソースの制御パネル１８０、及び／又は同様のものなどの１つ又はそれ以上のインターフェースを含む。リモコン装置１４０は、デバイス独立コントローラ（例えば、ユニバーサルリモコン装置）とすることができ、或いはテレビジョン１１０などの１つ又はそれ以上のデバイス、所与のコンテンツソース１２０、１３０、又は同様のものに関連付けることができる。更に、リモコン装置１４０は、単一のデバイスを制御するか、或いは複数のデバイスを制御することができる。リモコン装置は、複数の方向キー、エンターキー、及び英数字キーパッドなどの幾つかの他のキー、コンテンツソース固有及び／又はデバイスアグノスティック（装置に依存しない）制御キー、及び／又は同様のものを含む。方向キーは一般に、上、下、左及び右キーを含む。方向キーはまた、上−左対角線、上−右対角線、下−右対角線、及び下−左対角線キーを含むことができる。代替として、リモートコントローラ１４０は、上、下、左及び右方向信号、及び任意選択的にナビゲーションキーのローカライズされた起動に応じて対角線方向信号を提供する多機能「ナビゲーション」キーを含むことができる。
【０００９】
システム１００のオペレーションについて図２を参照して更に説明するが、図２は、リモコン装置１４０を使用してテレビジョン１１０にウィジェット機能を実装する方法を示している。２０５において、ビデオ処理及び制御ユニット１６０、１７０によってグラフィカルユーザインターフェース１９０がディスプレイ１５０上に出力される。例示的なグラフィカルユーザインターフェース１９０が図３に示されている。グラフィカルユーザインターフェース１９０は、メニュー、サブメニュー、アイコン３１０、アプリケーションウィンドウ３２０、サムネイル、制御バー及び／又は同様のものの何らかの組み合わせを含むことができる。グラフィカルユーザインターフェース１９０はまた、ユーザによってカスタマイズすることができる、カーソル３３０などのウィジェットを含む。
【００１０】
２１０において、ユーザによるリモコン装置１４０の１つ又はそれ以上のキーの起動に応答して、グラフィカルユーザインターフェース１９０を生成している所与のビデオ処理及び制御ユニット１６０、１７０がリモコン装置１４０から１つ又はそれ以上のキー事象を受信する。１つ又はそれ以上のキー事象が１つ又はそれ以上の方向キーの起動を示す場合、２１５において、所与のビデオ処理及び制御ユニット１６０、１７０は、所与の方向キーの各起動に対応する所与の方向における所与の方向キーの各別々の起動に応答して、固定距離だけウィジェットを動かすことによりグラフィカルユーザインターフェース１９０を更新する。更に、所与の方向キーが押下されていることを１つ又はそれ以上のキー事象が示す場合、ウィジェットは、所与の方向キーに対応する所与の方向の連続動作で移動することができる。ウィジェットが移動する距離は、所与の方向キーが押下されている時間に比例する。
【００１１】
２２０において、１つ又はそれ以上のキー事象が「エンター（ｅｎｔｅｒ）」キーの起動を示す場合、グラフィカルユーザインターフェース１９０を生成している所与のビデオ処理及び制御ユニット１６０、１７０は、ウィジェットが、グラフィカルユーザインターフェース１９０のメニューアイテム、アイコン、サムネイル又は同様のオブジェクトのロケーションに近接しているかどうかを判定する。ウィジェットがオブジェクトに近接している場合、２２５において、ビデオ処理及び制御ユニット１６０、１７０は、「エンター」キー事象に応答して所与のオブジェクトによって指定された機能を開始することになる。ウィジェットがオブジェクトに近接していないことをビデオ処理及び制御ユニット１６０、１７０が判定した場合、２３０において、キー事象を無視することができる。
【００１２】
更に、プロセス２１５に応答してウィジェットがディスプレイ上の予め決定された区域に移動した場合、予め決定された区域に関連付けられる１つ又はそれ以上のメニュー、サブメニュー、アイコン、サムネイル及び／又は同様のものを表示するようにグラフィカルユーザインターフェースを更新することができる。例えば、ＤＶＤが再生されているディスプレイの下側部分にウィジェットが移動した場合、下側部分にビデオ再生制御パネルを表示することができる。更に、グラフィカルユーザインターフェースのレイアウトはカスタマイズすることができる。例えば、「エンター」キーが押下されていることを１つ又はそれ以上のキー事象が示し、１つ又はそれ以上の方向キーが起動されていることを１つ又はそれ以上の他のキー事象が示す場合、ウィジェットに近接するオブジェクトが１つ又はそれ以上の所与の方向キーの起動に対応する方向に移動し、オブジェクトがグラフィカルユーザインターフェース上に位置変更されるようにすることができる。
【００１３】
図３に示されるように、ユーザは、リモコン１４０上の１つ又はそれ以上の方向キーを起動して、電子メールアプリケーションにおいてキーボード３４０を表すアイコンのセット上でカーソル３３０を操作し、次いで、キーボードの利用可能な文字の近くで方向キー及び「エンター」キー起動の組み合わせを使用して電子メールに文字を打ち込むことができる。他の場合、ユーザは、１つ又はそれ以上の方向キーを起動して、ゲーム機３５０を表すアイコン上でカーソル３３０を操作し、次いで、「エンター」キーを起動して、ゲーム機の初期オペレーションのメニューを立ち上げることができる。更に別の場合では、ユーザは、リモコン１４０上で１つ又はそれ以上の方向キーを起動し、ＤＶＤムービーが再生されているウィンドウの下側部分３６０にカーソル３３０を操作し、ビデオ再生制御バー（図示せず）をＤＶＤムービーの下側部分に重ねるようにすることができ、このビデオ再生制御バーを用いて、ムービーの再生を制御することができる。
【００１４】
ここで図４Ａ及び４Ｂを参照すると、本発明の１つの実施形態によるグラフィカルユーザインターフェースを実装する別の方法が示されている。４０５において、ビデオ処理及び制御ユニット１６０、１７０は、グラフィカルユーザインターフェースの所与のインスタンスを生成するためのデータを受信する。グラフィカルユーザインターフェース１９０は、メニュー、サブメニュー、アイコン、アプリケーションウィンドウ、サムネイル、制御バー及び／又は同様のものの何らかの組み合わせを含むことができる。グラフィカルユーザインターフェースはまた、カーソルなどのウィジェットを含む。
【００１５】
４１０において、所与のビデオ処理及び制御ユニット１６０、１７０は、グラフィカルユーザインターフェース１９０が実質的に順序付けされたフォーマットでオブジェクトを示しているかどうか、或いはオブジェクトが非対称フォーマットで示されているかどうかを判定する。例えば、実質的に順序付けされたフォーマットは、行及び列の規則的セットで、メニュー、サブメニュー、アイコン、サムネイル又は同様のものの形式のオブジェクトを示す。非対称フォーマットでは、オブジェクトはどのような順序で配列してもよい。グラフィカルユーザインターフェース１９０の所与のインスタンスが非対称である場合、４１５において、グラフィカルユーザインターフェース１９０の所与のインスタンスは、ビデオ処理及び制御ユニット１６０、１７０によってカーソルなどのウィジェットと共にディスプレイ１５０上に出力される。ウィジェットは、ユーザによってカスタマイズすることができ、グラフィカルユーザインターフェースのコンテキスト、及び／又は同様のものに基づくことができる。例えば、ユーザは、カーソルに使用される記号、そのサイズ及び同様のものを変更することができる。別の実施例では、カーソルは、デフォルトで、手又は矢印などの、オブジェクトを選択するためのシンプルポインタシンボルとすることができる。カーソルは、オブジェクトが比較的小さく及び／又は密集している時に拡大シンボルに変更することができ、拡大シンボルに近接したオブジェクトは、ユーザが認識し易いように拡大することができる。
【００１６】
４２０において、所与のビデオ処理及び制御ユニット１６０、１７０は、ユーザによるリモコン装置１４０の１つ又はそれ以上のキーの起動に応答して、リモコン装置１４０から１つ又はそれ以上のキー事象を受信する。１つ又はそれ以上のキー事象が１つ又はそれ以上の方向キーの起動を示す場合、４２５において、所与のビデオ処理及び制御ユニット１６０、１７０は、所与の方向キーの各起動に対応する所与の方向における所与の方向キーの各別々の起動に応答して、固定距離だけウィジェットを動かすことによりそのグラフィカルユーザインターフェース１９０を更新する。更に、所与の方向キーが押下されていることを１つ又はそれ以上のキー事象が示す場合、ウィジェットは、所与の方向キーに対応する所与の方向の連続動作で移動することができる。この場合も同様に、ウィジェットがこれに応答してディスプレイ上の予め決定された区域に移送した場合、グラフィカルユーザインターフェースもまた、予め決定された区域に関連付けられた１つ又はそれ以上のメニュー、サブメニュー、アイコン、サムネイル及び／又は同様のものを表示するように更新することができる。
【００１７】
４３０において、１つ又はそれ以上のキー事象が「エンター」キーの起動を示す場合、非対称フォーマットにされたグラフィカルユーザインターフェース１９０を生成している所与のビデオ処理及び制御ユニット１６０、１７０は、ウィジェットが、グラフィカルユーザインターフェース１９０のメニューアイテム、アイコン、サムネイル又は同様のオブジェクトのロケーションに近接しているかどうかを判定する。ウィジェットがオブジェクトに近接している場合、４３５において、ビデオ処理及び制御ユニット１６０、１７０は、「エンター」キー事象に応答して所与のオブジェクトによって指定された機能を開始することができる。ウィジェットがオブジェクトに近接していないことをビデオ処理及び制御ユニット１６０、１７０が判定した場合、キー事象を無視することができる。同様に、グラフィカルユーザインターフェースのレイアウトは、図２に関して上述されたように、ウィジェットに近接している時に１つ又はそれ以上の方向キーの起動と組み合わせて「エンター」キーを起動することによって、カスタマイズすることができる。
【００１８】
グラフィックユーザインターフェース１９０の所与のインスタンスのオブジェクトの配置がほぼ均等である場合、４４０において、ディスプレイ１５０上にビデオ処理及び制御ユニット１６０、１７０によってグラフィカルユーザインターフェース１９０の所与のインスタンスが出力される。４４５において、ユーザによる起動に応答して、所与のビデオ処理及び制御ユニット１６０、１７０がリモコン装置１４０から１つ又はそれ以上のキー事象を受信する。１つ又はそれ以上のキー事象が１つ又はそれ以上の方向キーの起動を示す場合、４５０において、所与のビデオ処理及び制御ユニット１６０、１７０は、所与の方向キーの各別々の起動に応答して予め決定された順序で現在アクティブのオブジェクトの表示を動かすことによって、ほぼ均等にフォーマット化されたグラフィカルユーザインターフェース１９０を更新する。例えば、グラフィカルユーザインターフェース１９０は、最初に、オブジェクトのセットを示し、オブジェクトの予め決定された１つが強調表示される。方向キーの各起動に応答して、強調表示は、方向キーが起動された特定のシーケンスに基づいて予め決定されたシーケンスでオブジェクト間を移動する。
【００１９】
４５５において、１つ又はそれ以上のキー事象が「エンター」キーの起動を示す場合、ほぼ均等にフォーマット化されたグラフィカルユーザインターフェース１９０を生成している所与のビデオ処理及び制御ユニット１６０、１７０は、エンターキー事象に応答して現在アクティブのオブジェクトによって指定された機能を開始することになる。
【００２０】
ステップ４１０において、グラフィカルユーザインターフェース１９０が実質的に順序付けされたフォーマットでオブジェクトを示しているかどうか、或いはオブジェクトが非対称フォーマットで示されているかどうかを判定することによって、本方法は、カーソルモード４１５−４３５と従来のオブジェクト−オブジェクトモード４４０−４５５との間を自動的に切り換えることができる。本方法はまた、１つ又はそれ以上の予め決定されたキー事象など、ユーザからの入力に応答してカーソルモードとオブジェクト−オブジェクトモードとの間を容易に切り換えることができる。ある場合には、テレビジョン１１０上でオブジェクトからオブジェクトに操作するのがより容易で及び／又はより迅速であり、他の場合には、当該オブジェクトに直接操作するのがより容易で及び／又はより迅速であることがあることに起因して、カーソルモードとオブジェクト−オブジェクトモードとの間の切り換えは有利とすることができる。
【００２１】
テレビジョン上のグラフィカルユーザインターフェースが益々複雑になるにつれて、本発明の実施形態は、グラフィカルユーザインターフェースにおいてオブジェクト間を操作するための改善された技術を有利に提供する。本技術は、特別なデバイス又は別個のデバイスとは対照的に、何れかのリモートコントローラ上で特定のキー事象によって制御されるカーソル又は他の類似のウィジェットの概念を実施する。本技術は、テレビジョン及び他のコンテンツソースのグラフィカルユーザインターフェースの付近でスムーズ且つ直感的な操作を可能にする。本技術は更に、グラフィカルユーザインターフェースにおいてより非対称でフレキシブルな情報提示を可能にする。本技術は、既存のテレビジョン及びコンテンツソースの後方互換性を実現する。更に、本発明の実施形態は、既存のテレビジョン及び／又は他のコンテンツソースに対してソフトウェアアップグレードによって実施することができる。
【００２２】
本発明の特定の実施形態の上述の説明は、例証及び説明の目的で提示された。これらは、本発明を網羅するものではなく、或いは本発明を開示された厳密な形式に限定するものではなく、上記の教示の観点から明らかに多くの修正形態及び変形形態が実施可能である。本実施形態は、本発明の原理及びその実用的応用を良好に説明するために選択され記載されており、これによって当業者は、本発明及び企図される特定の用途に合うような種々の修正を備えた種々の実施形態を最適に利用できるようになる。本発明の範囲は、添付の請求項及びこれらの均等形態によって定義されるものとする。
【符号の説明】
【００２３】
１１０  テレビジョン
１２０  コンテンツソース
１３０  コンテンツソース
１４０  ＲＣ（リモコン装置）
１５０  ディスプレイ
１６０  ビデオ処理及び制御ユニット
１７０  ビデオ処理及び制御ユニット
１８０  制御パネル
１９０  ＧＵＩ（グラフィカルユーザインターフェース）
【図１】
0005553837.tif 000002
【図２】
0005553837.tif 000003
【図３】
0005553837.tif 000004
【図４Ａ】
0005553837.tif 000005
【図４Ｂ】
0005553837.tif 000006